(57)【要約】  パワーステアリングポンプと送水ポンプとのアセンブリを開示する。このアセンブリは、回転軸と送水ポンプを備えたパワーステアリングポンプを含んでいる。この送水ポンプは、ハウジングと、軸の内端に設けられた羽根車を駆動するための回転自在の軸を有している。送水ポンプ軸の外端は、パワーステアリングポンプの軸と係合し、パワーステアリングポンプの軸は送水ポンプの軸を駆動する。この送水ポンプは、シールと、送水ポンプ軸の外端を支持し、羽根車を支持しジャーナル軸受けするために、軸を片側のみで支持する内側案内溝と外側案内溝を有するベアリングと、を含むことができる。パワーステアリングポンプの軸は、軸方向にスライドする雄雌のトルク伝達プロファイルの係合によって、送水ポンプ軸と係合することができる。【選択図】図１
2014508238.tif 000002
【特許請求の範囲】
【請求項１】
パワーステアリングポンプから延在する回転自在の軸を有するパワーステアリングポンプと、
ハウジングと、送水ポンプの羽根車を駆動するための回転自在の軸と、を有する送水ポンプと、
を備えた、パワーステアリングポンプと送水ポンプとのアセンブリであって、
前記送水ポンプの軸は、前記パワーステアリングポンプの軸によって駆動され、
前記送水ポンプの軸は、前記羽根車を前記送水ポンプの軸の内側端に設けるとともに、内側端から外側端まで延在し、
前記送水ポンプの軸の外側端は、前記パワーステアリングポンプの軸の端部と係合し、前記送水ポンプの前記ハウジングに固定された外側案内溝を有するベアリングによって支持され、
前記羽根車を支持しジャーナル軸受けするために、前記送水ポンプの軸は、前記ベアリングによって片側のみで支持され、
前記パワーステアリングポンプと送水ポンプとのアセンブリが、前記ベアリングと前記羽根車の間にシールをさらに備えていることを特徴とする、パワーステアリングポンプと送水ポンプとのアセンブリ。
【請求項２】
前記ベアリングの内側案内溝が、前記送水ポンプの軸の外側端に形成されていることを特徴とする請求項１に記載のパワーステアリングポンプと送水ポンプとのアセンブリ。
【請求項３】
雄型トルク伝達プロファイルと雌型トルク伝達プロファイルとの係合によって、前記パワーステアリングポンプの軸が、前記送水ポンプの軸を駆動し、
前記パワーステアリングポンプの軸と前記ベアリングの内側案内溝の少なくとも一方が、前記雄型トルク伝達プロファイルを備え、前記パワーステアリングポンプの軸と前記ベアリングの内側案内溝の少なくとも他方が、前記雌型トルク伝達プロファイルを備えていることを特徴とする請求項２に記載のパワーステアリングポンプと送水ポンプとのアセンブリ。
【請求項４】
前記雄型と雌型のトルク伝達プロファイルが、互いに対して軸方向にスライドするように構成されていることを特徴とする請求項３に記載のパワーステアリングポンプと送水ポンプとのアセンブリ。
【請求項５】
前記パワーステアリングポンプの軸が、前記雄型トルク伝達プロファイルを備え、前記内側案内溝が、前記雌型トルク伝達プロファイルを備えていることを特徴とする請求項４に記載のパワーステアリングポンプと送水ポンプとのアセンブリ。
【請求項６】
前記トルク伝達プロファイルが、六角形、二重六角形、Ｄ字状、鍵、五角形、正方形、トークス、トーク・セット、三重羽根、三重正方形、ポリドライブ、ポジドライブ、フィリップス、一方向、スプライン・ドライブ、スロット・ドライブ、及びブリストルからなるグループから選択されるプロファイルであることを特徴とする請求項１に記載のパワーステアリングポンプと送水ポンプとのアセンブリ。
【請求項７】
前記ベアリングが、二重ボール・ベアリングであることを特徴とする請求項１に記載のパワーステアリングポンプと送水ポンプとのアセンブリ。
【請求項８】
前記パワーステアリングポンプがパワーステアリングポンプハウジングをさらに備え、
前記パワーステアリングポンプハウジングと前記送水ポンプハウジングが、少なくとも２つの固定具によって組み立てられることを特徴とする請求項１に記載のパワーステアリングポンプと送水ポンプとのアセンブリ。
【請求項９】
パワーステアリングポンプから延在する回転自在の軸を有するパワーステアリングポンプと、
ハウジングと、送水ポンプの羽根車を駆動するための回転自在の軸と、を有する送水ポンプと、
を備えた、パワーステアリングポンプと送水ポンプとのアセンブリであって、
前記送水ポンプの軸は、前記パワーステアリングポンプの軸によって駆動され、
前記送水ポンプの軸は、前記羽根車を前記送水ポンプの軸の内側端に固定し、前記羽根車は前記送水ポンプの軸の内側端から外側端まで延在し、
雄型トルク伝達プロファイルと雌型トルク伝達プロファイルとの相互作用によって、前記送水ポンプの軸の外側端は、前記パワーステアリングポンプの軸の端部と係合し、
前記パワーステアリングポンプの軸と前記送水ポンプの軸の外側端の少なくとも一方が、前記雄型トルク伝達プロファイルを備え、前記回転自在の軸と前記送水ポンプ軸の外側端の少なくとも他方が、前記雌型トルク伝達プロファイルを備え、前記雄雌のトルク伝達プロファイルが軸方向に互いにスライドすることを特徴とするパワーステアリングポンプと送水ポンプとのアセンブリ。
【請求項１０】
前記パワーステアリングポンプの軸が、前記雄型トルク伝達プロファイルを備え、前記送水ポンプの外側端が、前記雌型トルク伝達プロファイルを備えていることを特徴とする請求項９に記載のパワーステアリングポンプと送水ポンプとのアセンブリ。
【請求項１１】
前記トルク伝達プロファイルが、六角形、二重六角形、Ｄ字状、鍵、五角形、正方形、トークス、トーク・セット、三重羽根、三重正方形、ポリドライブ、ポジドライブ、フィリップス、一方向、スプライン・ドライブ、スロット・ドライブ、及びブリストルからなるグループから選択されるプロファイルであることを特徴とする請求項９に記載のパワーステアリングポンプと送水ポンプとのアセンブリ。
【請求項１２】
前記送水ポンプの外側端が、前記送水ポンプの前記ハウジングに固定された外側案内溝を有するベアリングで支持され、
前記羽根車を支持しジャーナル軸受けするために、前記送水ポンプの軸は、前記ベアリングによって片側のみで支持されていることを特徴とする請求項９に記載のパワーステアリングポンプと送水ポンプとのアセンブリ。
【請求項１３】
前記パワーステアリングポンプと送水ポンプとのアセンブリが、前記ベアリングと前記羽根車の間にシールをさらに備えていることを特徴とする請求項１２に記載のパワーステアリングポンプと送水ポンプとのアセンブリ。
【請求項１４】
前記ベアリングが、二重ボール・ベアリングであることを特徴とする請求項１２に記載のパワーステアリングポンプと送水ポンプとのアセンブリ。
【請求項１５】
前記パワーステアリングポンプがパワーステアリングポンプハウジングをさらに備え、
前記パワーステアリングポンプハウジングと前記送水ポンプハウジングが、少なくとも２つの固定具によって組み立てられることを特徴とする請求項９に記載のパワーステアリングポンプと送水ポンプとのアセンブリ。
【請求項１６】
別の軸によって駆動されるように構成された軸を有する送水ポンプであって、
ポンプ室を形成するハウジングと、
前記ポンプ室内で、前記送水ポンプの前記軸の内側端に設けられた羽根車と、
前記送水ポンプの前記ハウジングに固定された外側案内溝を有するベアリングと、
前記ベアリングと前記羽根車の間に設けられたシールと、を備えた送水ポンプにおいて、
前記送水ポンプの軸は、内側端から外側端まで延在し、前記外側端は、前記別の軸の端部と係合し、かつ前記ベアリングで支持され、前記羽根車を支持しジャーナル軸受けするために、前記送水ポンプの軸は、前記ベアリングによって片側のみで支持されていることを特徴とする送水ポンプ。
【請求項１７】
前記ベアリングの内側案内溝が、前記送水ポンプの軸の外側端に形成されていることを特徴とする請求項１６に記載の送水ポンプ。
【請求項１８】
雄型トルク伝達プロファイルと雌型トルク伝達プロファイルとの係合によって、前記別の軸が、前記送水ポンプの軸を駆動し、
前記別の軸と前記ベアリングの前記内側案内溝の少なくとも一方が、前記雄型トルク伝達プロファイルを備え、前記別の軸と前記ベアリングの前記内側案内溝の少なくとも他方が、前記雌型トルク伝達プロファイルを備えていることを特徴とする請求項１７に記載の送水ポンプ。
【請求項１９】
前記雄雌のトルク伝達プロファイルを軸方向に互いにスライドさせることによって、前記ベアリングの前記内側案内溝が、前記別の軸と係合することを特徴とする請求項１８に記載の送水ポンプ。
【請求項２０】
前記内側案内溝が、前記雄型トルク伝達プロファイルを備え、前記別の軸が、前記雌型トルク伝達プロファイルを備えていることを特徴とする請求項１９に記載の送水ポンプ。
【請求項２１】
前記トルク伝達プロファイルが、六角形、二重六角形、Ｄ字状、鍵、五角形、正方形、トークス、トーク・セット、三重羽根、三重正方形、ポリドライブ、ポジドライブ、フィリップス、一方向、スプライン・ドライブ、スロット・ドライブ、及びブリストルからなるグループから選択されるプロファイルであることを特徴とする請求項１６に記載の送水ポンプ。
【請求項２２】
前記ベアリングが、二重ボール・ベアリングであることを特徴とする請求項１６に記載の送水ポンプ。
【請求項２３】
ハウジングとパワーステアリングポンプから延在する回転自在の軸を有するパワーステアリングポンプと、ハウジングと、送水ポンプの羽根車を駆動するための回転自在の軸と、を有する送水ポンプと、を備えた、パワーステアリングポンプと送水ポンプとのアセンブリを提供するステップと、
ここで、前記送水ポンプの軸は、前記パワーステアリングポンプの軸によって駆動され、前記送水ポンプの軸は、前記羽根車を前記送水ポンプの軸の内側端に設けるとともに、内側端から外側端まで延在し、雄型トルク伝達プロファイルと雌型トルク伝達プロファイルとの相互作用によって前記送水ポンプの軸の外側端は、前記パワーステアリングポンプの軸の端部と係合し、前記パワーステアリングポンプの軸と前記送水ポンプの軸の外側端の少なくとも一方が前記雄型トルク伝達プロファイルを備え、前記回転自在の軸と前記送水ポンプの軸の外側端の少なくとも他方が前記雌型トルク伝達プロファイルを備え、前記パワーステアリングポンプハウジングと前記送水ポンプハウジングが、少なくとも２つの固定具によって組み立てられ、
前記固定具を取り外すステップと、
前記パワーステアリングポンプハウジングと前記送水ポンプハウジングのいずれか一方を軸方向にスライドして、前記パワーステアリングポンプハウジングと前記送水ポンプハウジングの他方から切り離すステップと、
からなるパワーステアリングポンプと送水ポンプとのアセンブリの分解方法。
【発明の詳細な説明】
【技術分野】
【０００１】
（関連出願との相互参照）
本出願は、２０１０年１２月２２日に出願された米国暫定特許出願第６１／４２６，３３５号の利益を請求し、その開示内容全体は、参照することにより本明細書に組み込まれる。
【０００２】
（連邦支援を受けた研究開発の陳述）
適用されない。
【０００３】
本発明は、自動車に用いられるパワーステアリングポンプと送水ポンプに関する。より具体的には、本発明はパワーステアリングポンプと送水ポンプとのアセンブリに関する。
【背景技術】
【０００４】
インラインのパワーステアリングポンプと送水ポンプとのアセンブリは、現在の自動車設計分野において一般的であり、同様に他の用途でも用いることができる。これらのアセンブリは、パワーステアリングポンプの軸に送水ポンプの軸を駆動させる。例えば、一つの設計例を、米国特許第６，８５２，１９３号に見ることができる。
【発明の概要】
【発明が解決しようとする課題】
【０００５】
リークや他の問題がパワーステアリングポンプ又は送水ポンプに発生してポンプを交換する必要が生じた場合、欠陥のあるポンプを交換する前に、ポンプを切り離さなければならない。２つのポンプを切り離すには、送水ポンプをパワーステアリングポンプから切り離すことができるようになる前に、送水ポンプの幾つかの部品を取り外す工程が含まれる。例えば、送水ポンプハウジングを分解することが必要な場合があり、送水ポンプの羽根車を送水ポンプの軸から取り外すことが必要な場合がある。これらの工程が完了した後、送水ポンプの軸はパワーステアリングポンプの軸から解放されて、２つのポンプを切り離すことができる。しかし、もしパワーステアリングポンプが交換すべきポンプであった場合、作業者はポンプ交換時に、先述の部品を再組立てする必要がある。これらの工程は、送水ポンプとパワーステアリングポンプのアセンブリから欠陥のあるポンプを交換するのに必要な作業量と時間を増加させる。
【０００６】
その結果として、パワーステアリングポンプの軸が送水ポンプの軸を駆動することを許容しつつ、より迅速な分解が可能となるようなパワーステアリングポンプと送水ポンプとのアセンブリが必要とされている。
【課題を解決するための手段】
【０００７】
１つの形態において、本発明は、パワーステアリングポンプと送水ポンプとのアセンブリを提供する。このアセンブリは、パワーステアリングポンプから延在する回転自在の軸を有するパワーステアリングポンプを備えている。このアセンブリは、また、ハウジングと送水ポンプの羽根車を駆動するための回転自在の軸を有する送水ポンプを備えている。送水ポンプの軸は、パワーステアリングポンプの軸によって駆動され、羽根車は送水ポンプの内側端に設けられている。送水ポンプの軸は、その内側端から外側端に延在している。送水ポンプの軸の外側端は、パワーステアリングポンプの軸の端部と係合している。送水ポンプの軸の外側端は、送水ポンプのハウジングに固定された外側案内溝を有するベアリングで支持されている。羽根車を支持しジャーナル軸受けするために、送水ポンプの軸は、ベアリングによって片側のみが支持されている。送水ポンプは、ベアリングと羽根車の間にシールも備えている。
【０００８】
別の形態において、本発明は、パワーステアリングポンプから延在する回転自在の軸を有するパワーステアリングポンプを備えたパワーステアリングポンプと送水ポンプとのアセンブリを提供する。このアセンブリは、また、ハウジングと送水ポンプの羽根車を駆動するための回転自在の軸を有する送水ポンプを備えている。送水ポンプの軸は、パワーステアリングポンプの軸によって駆動され、羽根車が送水ポンプの軸の内側端に設けられている。送水ポンプの軸は、その内側端から外側端に延在しており、この外側端は、雄型トルク伝達プロファイルと雌型トルク伝達プロファイルの相互作用によって、パワーステアリングポンプの軸の端部と係合している。パワーステアリングポンプの軸と送水ポンプの軸の外側端の少なくとも一方が、雄型トルク伝達プロファイルを備え、回転自在の軸と送水ポンプの軸の外側端の少なくとも他方が、雌型トルク伝達プロファイルを備えている。雄雌のトルク伝達プロファイルは、互いに軸方向にスライドする。
【０００９】
また別の形態において、本発明は、トルク伝達プロファイルを備えた別の軸によって駆動されるように構成された軸を有する送水ポンプを提供する。送水ポンプは、ポンプ室を形成するハウジングを備えている。羽根車が、ポンプ室内の送水ポンプの軸の内側端に設けられている。送水ポンプは、送水ポンプのハウジングに固定された外側案内溝を有するベアリングと、ベアリングと羽根車の間に設けられたシールも備えている。送水ポンプの軸は、内側端から外側端に延在しており、この外側端は、別の軸の端部と係合し、ベアリングによって支持されている。羽根車を支持しジャーナル軸受けするために、送水ポンプの軸は、ベアリングによって片側のみが支持されている。
【００１０】
加えて、もう１つの形態において、本発明は、パワーステアリングポンプと送水ポンプとのアセンブリを分解するための方法を提供する。この方法は、ハウジングとパワーステアリングポンプから延在する回転自在の軸を有するパワーステアリングポンプと、ハウジングと、送水ポンプの羽根車を駆動するための回転自在の軸と、を有する送水ポンプと、を備えたアセンブリを提供するステップを備えている。送水ポンプの軸は、パワーステアリングポンプの軸によって駆動される。送水ポンプの軸は、羽根車を送水ポンプの軸の内側端に設けるとともに、内側端から外側端まで延在し、送水ポンプの軸の外側端は、雄型トルク伝達プロファイルと雌型トルク伝達プロファイルとの相互作用によって、パワーステアリングポンプの軸の端部と係合する。パワーステアリングポンプの軸と送水ポンプの軸の外側端の少なくとも一方が雄型トルク伝達プロファイルを備え、回転自在の軸と送水ポンプの軸の外側端の少なくとも他方が雌型トルク伝達プロファイルを備える。パワーステアリングポンプハウジングと送水ポンプハウジングが、少なくとも２つの固定具によって組み立てられる。この方法は、また、固定具を取り外すステップと、パワーステアリングポンプハウジングと送水ポンプハウジングのいずれか一方を軸方向にスライドして、パワーステアリングポンプハウジングと送水ポンプハウジングの他方から切り離すステップと、を備えている。
【発明の効果】
【００１１】
本発明の１つの長所は、パワーステアリングポンプと送水ポンプとのアセンブリが、わずかな固定具を取り外すだけで、２つのポンプがアセンブリから切り離されるように構成されていることである。パワーステアリングポンプの軸は、雄雌関係で送水ポンプの軸と係合し、雄雌の部品を軸方向に互いにスライドすることを可能にしているので、ポンプの１つの幾つもの部品を分解する必要なく、２つのポンプは容易に切り離すことができる。
【００１２】
本発明のもう１つの長所は、送水ポンプが、送水ポンプの軸を支持し、片側のみで支持するベアリングを備えているので、羽根車が設けられている送水ポンプの軸の内側端で、歪みの発生がより少ないことである。
【００１３】
本発明の前述の、そして他の目的や長所は、以下の図面から明らかであろう。この明細書において、本明細書の一部を形成する添付図面を参照し、本発明の好ましい実施例を実例として示す。
【図面の簡単な説明】
【００１４】
【図１】図１は、パワーステアリングポンプハウジングと送水ポンプハウジングを接続するために用いられた１つの固定具を示す、本発明を具体化するパワーステアリングポンプと送水ポンプとのアセンブリの斜視図である。
【図２】図２は、図１のアセンブリの展開図である。
【図３】図３は、図１の線３−３に沿った断面図である。
【図４】図４は、図３の線４−４に沿った断面図である。
【発明を実施するための形態】
【００１５】
図１から４に、パワーステアリングポンプと送水ポンプとのアセンブリ１０を示す。このアセンブリ１０は、パワーステアリングポンプ１２と送水ポンプ１４とを備えている。パワーステアリングポンプ１２は、ハウジング１６を有し、送水ポンプ１４も同様にハウジング１８を有している。パワーステアリングポンプ１２のハウジング１６は、固定具１９（明確にするために図１にのみ示す）によって送水ポンプ１４のハウジング１８に組み付けられている。図２に示すように、パワーステアリングポンプ１２は、回転自在の軸１３を備えている。この回転自在の軸１３は、エンジン（図示せず）によって駆動されて、当業者には知られているように、パワーステアリング液を加圧し、分配する。パワーステアリングポンプ１２の軸１３は、送水ポンプ１４を駆動する。
【００１６】
図２に示すように、送水ポンプ１４のハウジング１８は、一対のはめ合いハウジング部品２０、２２で構成されている。ハウジング部品２０、２２は、一連の固定具２４によって互いに固定される。ガスケット２６が、２つのはめ合いハウジング部品２０、２２の間に設けられて、２つのハウジング部品２０、２２の間の接続をシールして、冷却液が周囲の環境に漏れるのを防いでいる。ハウジング部品２０、２２の接続は、冷却液のためのポンプ室２８を形成している（図３に最も良く示す）。
【００１７】
送水ポンプ１４は、冷却液を分配するための羽根車３０と回転自在の軸３２とを備えている。送水ポンプ１４の軸３２は、ポンプ室２８に設けられた内側端３４を備え、外側端３６まで延在している。羽根車３０は、回転自在の軸３２の内側端３４に設けられている。これは、送水ポンプ１４の回転自在の軸３２の内側端３４にカラー（ｃｏｌｌａｒ）３８を設け、羽根車３０をカラー３８に嵌合させることで達成される。
【００１８】
図２と３に示すように、送水ポンプ１４はベアリング４０も備えている。このベアリング４０は、外側案内溝４２と内側案内溝４４とボール４６とを備えた二重ボール・ベアリングとすることができる。二重ボール・ベアリングがベアリング４０としてより好ましいが、他の種類のベアリングも用いることができて、例えばニードル・ベアリングも、これに限定するものではないが、用いることができる。図２に示すベアリング４０は、ベアリング４０内のベアリングを潤滑に保ち、汚染物がベアリング４０の適切な機能を妨害するのを防ぐために、２つのシール４８を備えている。ベアリング４０の外側案内溝４２は、送水ポンプ１４のハウジング１８の部品２０に対して固定されている。ベアリング４０の内側案内溝４４は、送水ポンプ１４の軸３２の外側端３６に形成されている。内側案内溝４４と軸３２は、一体ユニットのように示されているが、軸３２は内側案内溝４４から切り離されたユニットとして形成されるのが好ましく、圧入などによって互いに接続される。
【００１９】
ベアリング４０は、送水ポンプ１４の軸３２の外側端３６を支持している。加えて、羽根車３０を支持しジャーナル軸受けするために、軸３２はベアリング４０によって片側のみで支持されている。有利なことに、このベアリング４０による羽根車３０の支持は、送水ポンプ１４の動作中であって羽根車３０の回転中の、送水ポンプ１４の軸３２の過度の歪みを防ぐ。これによって、送水ポンプ１４のより良いシール特性が導かれ、冷却水の補充回数の削減や、送水ポンプ１４のシール４６の長寿命化といった結果が得られる。
【００２０】
上述のように、ベアリング４０はシール４６も備えている。シール４６は、羽根車３０とベアリング４０の間に設けられて、ポンプ室２８の冷却液をベアリング４０からシールする。図３に示すように、シール４６は、ハウジング部品２０に固定され、送水ポンプ１４の軸３２の肩部５０に当接する据え付けカラー（ｃｏｌｌａｒ）４８を備えている。羽根車３０と据え付けカラー４８は、シール４６に当接する。
【００２１】
送水ポンプ１４の軸３２の外側端３６は、パワーステアリングポンプ１２の回転軸１３の端部５２と係合する。軸１３、３２の係合は、雄型トルク伝達プロファイル５４と雌型トルク伝達プロファイル５６の相互作用によって生じ、プロファイル５４、５６は、一方を他方に対して軸方向にスライドさせることによって係合する。図４に最も良く示されるように、パワーステアリングポンプ１２の回転軸１３が雄型トルク伝達プロファイル５４を形成し、ベアリング４０の内側案内溝４４が雌型トルク伝達プロファイル５６を形成する。あるいは、例えばベアリング４０の内側案内溝４４が軸３２と一体に形成されず、別体の部品として形成されて軸３２に圧入された場合に、送水ポンプ１４の軸３２が雌型トルク伝達プロファイル５６を形成することもできる。図１ないし４に示された実施例においては、パワーステアリングポンプ１２の回転軸１３が雄型トルク伝達プロファイル５４を形成し、ベアリング４０の内側案内溝４４が雌型トルク伝達プロファイル５６を形成しているが、雄雌の向きは、送水ポンプ１４とパワーステアリングポンプ１２の間で逆転することもできる。
【００２２】
トルク伝達プロファイル５４、５６をスプラインとして図２ないし４に示しているが、軸方向に互いにスライドすることが許容された雄雌のプロファイルとして、他のトルク伝達プロファイルも、本発明に包含される。この機能を発揮する他のトルク伝達プロファイルとしては、これに限定されるものではないが、六角形、二重六角形、Ｄ字状、鍵、五角形、正方形、トークス、トーク・セット、三重羽根、三重正方形、ポリドライブ、ポジドライブ、フィリップス、一方向、スプライン・ドライブ、スロット・ドライブ、及びブリストルが含まれる。図２と３に示すように、雄雌のトルク伝達プロファイル５４、５６間の係合は、パワーステアリングポンプ１２の軸１３の端部５２をスライドするＯリング５８によって保護することができる。このＯリング５８は、あらゆる異物が、雄雌のトルク伝達プロファイル５４、５６間の係合を妨害するのを防いでいる。
【００２３】
トルク伝達プロファイル５４、５６が、パワーステアリングポンプ１２の軸１３がベアリング４０の内側案内溝４４と共に軸方向にスライドすることを可能にしているので、パワーステアリングポンプと送水ポンプのアセンブリ１０の組み立てと分解には、少しの工程しか必要としない。例えば、パワーステアリングポンプ１２のハウジング１６と送水ポンプ１４のハウジング１８の部品２０を貫通する３つの固定具１９（明確にするために図１にのみ示す）をねじ穴６０（図２に示す）から取り外すことによって、送水ポンプ１４からパワーステアリングポンプ１２を取り外したり、又はその逆を行うことができる。ひとたび固定具１９が取り外されると、軸方向にスライドしてポンプ１２、１４の一方を他方から引き離すことで、送水ポンプ１４とパワーステアリングポンプ１２は、互いに切り離される。この方法は、パワーステアリングポンプ１２と送水ポンプ１４のアセンブリ１０の効率的な組み立てと分解を可能にする。
【００２４】
上の記述は、本発明の好ましい実施例を第一の目的としたものであった。本発明の範囲内で、様々な代替案に幾つかの注意が与えられたが、本発明の実施例の開示によって明らかになった追加の代替案を当業者が実現することが予想される。従って、本発明の範囲は、以下の請求項によって決定されるべきであって、上記開示内容に限定されるものではない。
【図１】
2014508238.tif 000003
【図２】
2014508238.tif 000004
【図３】
2014508238.tif 000005
【図４】
2014508238.tif 000006
【手続補正書】
【提出日】平成25年8月26日(2013.8.26)
【手続補正１】
【補正対象書類名】明細書
【補正対象項目名】００１８
【補正方法】変更
【補正の内容】
【００１８】
図２と３に示すように、送水ポンプ１４はベアリング４０も備えている。このベアリング４０は、外側案内溝４２と内側案内溝４４とボール１４６とを備えた二重ボール・ベアリングとすることができる。二重ボール・ベアリングがベアリング４０としてより好ましいが、他の種類のベアリングも用いることができて、例えばニードル・ベアリングも、これに限定するものではないが、用いることができる。図２に示すベアリング４０は、ベアリング４０内のベアリングを潤滑に保ち、汚染物がベアリング４０の適切な機能を妨害するのを防ぐために、２つのシール１４８を備えている。ベアリング４０の外側案内溝４２は、送水ポンプ１４のハウジング１８の部品２０に対して固定されている。ベアリング４０の内側案内溝４４は、送水ポンプ１４の軸３２の外側端３６に形成されている。内側案内溝４４と軸３２は、一体ユニットのように示されているが、軸３２は内側案内溝４４から切り離されたユニットとして形成されるのが好ましく、圧入などによって互いに接続される。
【手続補正２】
【補正対象書類名】図面
【補正対象項目名】図２
【補正方法】変更
【補正の内容】
【図２】
2014508238.tif 000007
【手続補正３】
【補正対象書類名】図面
【補正対象項目名】図３
【補正方法】変更
【補正の内容】
【図３】
2014508238.tif 000008
【手続補正４】
【補正対象書類名】図面
【補正対象項目名】図４
【補正方法】変更
【補正の内容】
【図４】
2014508238.tif 000009
【国際調査報告】
2014508238.tif 000010